(57)【要約】  【課題】直線区間、曲線区間を問わず設置することができ、かつ現場打ちコンクリートを必要とせずに、確実かつ堅固な基礎とすることができる基礎構築用プレキャストコンクリートブロックを提供すること  【解決手段】両方の端部１１、１２は円弧状に形成されており、これら端部のうちの一方１１は上側が下側に対して突出して形成されており、他方１２は下側が上側に対して突出して形成されている。このように形成されたコンクリートブロック１００によって、同様に形成されたコンクリートブロック１００と隣接して設置され、上側突出部１１ａと隣接するコンクリートブロックの下側突出部１２ａが重なり合うようにして設置できるようにした。【選択図】図１
2005179949.tif 000002
【特許請求の範囲】
【請求項１】
両端に連続して密接配置されて、直線状又は曲線状の基礎を形成する基礎用プレキャストコンクリートブロックにおいて、
ブロック本体の長手方向の両端部が円弧状に形成されてなるとともに、該両端の一方の端部は、上側が側方に突出して形成されてなる上側突出部を備え、反対側の他方の端部は、下側が側方に突出して形成されてなる下側突出部を備えてなることを特徴とする基礎構築用プレキャストコンクリートブロック。
【請求項２】
上側突出部と下側突出部とが同突出長であることを特徴とする請求項１に記載の基礎構築用プレキャストコンクリートブロック。
【請求項３】
下側突出部の上面に円形凸状に形成された嵌合凸部と、上側突出部の下面に円形凹状に形成された嵌合凹部とを備えてなることを特徴とする請求項２に記載の基礎構築用プレキャストコンクリートブロック。
【請求項４】
下側突出部の上面に円形凹状に形成された嵌合凹部と、上側突出部の下面に円形凸状に形成された嵌合凸部とを備えてなることを特徴とする請求項２に記載の基礎構築用プレキャストコンクリートブロック。
【請求項５】
嵌合凹部及び嵌合凸部の中心にボルト又は鉄筋を通すためのボルト孔が形成されてなることを特徴とする請求項３又は４に記載の基礎構築用プレキャストコンクリートブロック。
【請求項６】
基礎を形成する基礎構築用プレキャストコンクリートブロックにおいて、
ブロック本体の長手方向の一方の端部が円弧状に形成されてなるとともに、該端部の上側部分又は下側部分が側方に突出形成された上側突出部又は下側突出部を備えてなることを特徴とする基礎構築用プレキャストコンクリートブロック。
【請求項７】
下側突出部の上面又は上側突出部の下面に、円形凸状に形成された嵌合凸部が設けられてなることを特徴とする請求項６に記載の基礎構築用プレキャストコンクリートブロック。
【請求項８】
下側突出部の上面又は上側突出部の下面に、円形凹状に形成された嵌合凹部が設けられてなることを特徴とする請求項６に記載の基礎構築用プレキャストコンクリートブロック。
【請求項９】
嵌合凸部又は嵌合凹部の中心にボルト又は鉄筋を通すためのボルト孔が形成されてなることを特徴とする請求項７又は８に記載の基礎構築用プレキャストコンクリートブロック。
【請求項１０】
ブロック本体の上面には、ガードレールの支柱を支持するための支柱取付孔が設けられてなることを特徴とする請求項１から９のいずれかに記載の基礎構築用プレキャストコンクリートブロック。
【請求項１１】
ブロック本体の側壁下方に、側方に延設された延設底板部が設けられてなることを特徴とする請求項１から１０のいずれかに記載のガードレール基礎用プレキャストコンクリート。
【発明の詳細な説明】
【技術分野】
【０００１】
本発明は、基礎構造を構築するためのプレキャスト型のコンクリートブロックに関する。
【背景技術】
【０００２】
両端に連続配置して直線又は曲線の基礎を構築するブロックとしては、ガードレールの基礎構造を構築できるプレキャスト型のコンクリートブロックがある。これは、一体的なガードレール用基礎構造を形成するそれぞれのプレキャストコンクリートブロックが、そのつま先版部及びかかと版部の両端部分にテーパー部を有する低版部と、その両端部分が円弧状に形成されたたて壁部と、ガードレール支柱を建込むための孔を有する柱部と、上記たて壁部の両端部分で、底版部のかかと版部側に設けられており、互いに相対して位置する複数の長孔を有するリブとからなるものが提案されている。
【０００３】
このブロックの設置は、複数のブロック間のガードレール長手方向の結合を、プレキャストコンクリートブロックの両端部分に設けられている互いのリブの長孔にボルトを貫通させ、このボルトを介して、座金及びナットでもって、それぞれ両側からリブを挟み込むように締結することによって行うものである。
【０００４】
このようなガードレール用基礎構造によれば、連結されるプレキャストコンクリートブロック相互の位置は相対関係を常時一定に維持することができる。また、この際、互いのプレキャストコンクリートブロックのリブの間に構成される空間内へ、モルタル又はコンクリートを充填することによって、それぞれのプレキャストコンクリートブロックに対するボルト等の締結要素の変位を阻止することができる（以上特許文献１参照）。
【０００５】
しかし、このプレキャストコンクリートは、以下のような問題点があった。まず、直線区間に設置する場合は、連続するブロック同士が直接接触する部分は、たて壁部だけであるので、ブロックによる互いの固定力が弱い。そのためブロックの変位を防止するために、互いのプレキャストコンクリートブロックのリブ間に構成される空間内へ、モルタル又はコンクリートを充填することによって、それぞれのプレキャストコンクリートブロックに対するボルト等の締結要素の変位を阻止し、さらにこの一体的なガードレール用基礎構造の信頼性を保証する必要があった。
【０００６】
また、曲線区間においても、一定の曲線部分に対応可能とはいうものの、低板部のテーパー部の形状によって、設置できる曲線の角度が限定されるという問題点があった。また、曲線におけるプレキャストコンクリートブロック相互の連結は、プレキャストコンクリートブロックのリブに直接接触する局面凹部を有する座金と、ナットに接触する半球形の座金とから構成されている特殊な座金とナットを用いる必要があった。
【特許文献１】特開２００２−３０９５９４号公報
【発明の開示】
【発明が解決しようとする課題】
【０００７】
そこで、本発明は以上のような問題点を鑑みてなされたものであり、直線区間、曲線区間を問わず設置することができ、かつ現場打ちコンクリートを必要とせずに、確実かつ堅固な基礎とすることができる基礎構築用プレキャストコンクリートブロック（以下単に、「コンクリートブロック」ともいう。）を提供することにある。
【課題を解決するための手段】
【０００８】
以上のような課題を解決するために、請求項１に記載された発明が採った手段は、両端に連続して密接配置されて、直線状又は曲線状のガードレール５０の支柱５１を支持する基礎を形成する基礎構築用プレキャストコンクリートブロック１００において、ブロック本体１０の長手方向の両端部１１、１２が円弧状に形成されてなるとともに、該両端部１１、１２のうち、一方の端部１１の上側は側方に突出して形成されてなる上側突出部１１ａを備え、他方の端部１２は、下側が側方に突出して形成されてなる下側突出部１２ａを備えてなることを特徴とする基礎構築用プレキャストコンクリートブロック１００、とするものである。このコンクリートブロック１００は、連続配置させるもののうち、主として中央に配置されるコンクリートブロック１００、すなわち、両端部１１，１２にコンクリートブロック１００が隣接配置される場合に主として使用されるものである。したがって、このコンクリートブロック１００は、長手方向両端１１、１２に隣接されるコンクリートブロックと接続するための構造を備えている。具体的には、両方の端部１１、１２は円弧状に形成されており、これら端部のうちの一方１１は上側が下側に対して長手方向に突出して形成されており、他方１２は下側が上側に対して長手方向に突出して形成されている。すなわち、両端部１１、１２で、互い違いに突出部１１ａ、１２ａが設けられていることになる。このように形成されたコンクリートブロック１００は、同様に形成されたコンクリートブロック１００に隣接して敷設され、下側突出部１２ａの下面と隣接するコンクリートブロックの上側突出部１１ａの上面が重なり合うように設置されることになる（図２参照）。本請求項１記載の発明によれば、両コンクリートブロック１００の突出部１１ａ、１２ａの上面と下面とが面接触するので互いに安定した接合を確保することができる。また、道路の曲線区間に設置する場合であっても、端部１１、１２は弧状に設けられているので互いの端部１１、１２が干渉することなく曲線区間の曲率に合わせて任意の角度で設置することができる。よって、どのような曲線区間であっても基礎を構築することができる。
【０００９】
さらに、請求項２に記載された発明が採った手段は、上側突出部１１ａと下側突出部１２ａとが同突出長であることを特徴とする請求項１に記載の基礎構築用プレキャストコンクリートブロック１００、とするものである。両側の突出部１１ａ、１２ａの突出長を同じ長さにすることで、突出部１１ａ、１２ａの先端が他方のブロックの端部に接触し、図３のように、隙間なく最も広い接触面積をとることができ、無駄なく設置することができる。
【００１０】
さらに、請求項３に記載された発明が採った手段は、下側突出部１２ａの上面に円形凸状に形成された嵌合凸部２０ａと、上側突出部１１ａの下面に円形凹状に形成された嵌合凹部２１ａとを備えてなることを特徴とする請求項１又は２に記載の基礎構築用プレキャストコンクリートブロック１００、とするものである。コンクリートブロックを隣接配置したときに、嵌合凸部２０ａが隣接するコンクリートブロックの嵌合凹部２１ａに嵌合させて容易に外れないようにすることができる（図２、図３参照）。円形の嵌合凸部２０ａ、嵌合凹部２１ａを円形としたのは、円形とすることでお互いのコンクリートブロック同士がどのような角度で配置されても嵌合させることができるとともに、嵌合した後であっても嵌合部を支点とする回動は自在であるので、設置した後であっても容易に互いの相対角度を調整することができるからである。
【００１１】
さらに、請求項４に記載された発明が採った手段は、下側突出部１１ａの上面に円形凹状に形成された嵌合凹部２１ａと、上側突出部１２ａの下面に円形凸状に形成された嵌合凸部２０ａとを備えてなることを特徴とする請求項２に記載の基礎構築用プレキャストコンクリートブロック１００、とするものである。請求項３記載の基礎構築用プレキャストコンクリートブロック１００の上側突出部１２ａ及び下側突出部１１ａと逆に嵌合凸部及び嵌合凹部が取り付けられたものである。すなわち、嵌合凹部２１ａが下側突出部１１ａの上面に形成され、嵌合凸部２１ａが上側突出部１１ａの下面に形成されたものである。その作用は、嵌合状態が逆になるが、請求項７に記載の発明と同様に、隣接して配設される互いのコンクリートブロック１００の嵌合凹部２１ａ嵌合凸部２０ａをはめ込むことにより、容易に外れることを防止でき、かつ嵌合部を支点とする回動方向への移動を確保することができる。
【００１２】
さらに、請求項５に記載された発明が採った手段は、嵌合凸部２０ａ及び嵌合凹部２１ａの中心にボルト又は鉄筋を通すためのボルト孔３０が形成されてなることを特徴とする請求項３又は４に記載の基礎構築用プレキャストコンクリートブロック１００、とするものである。重ね合わせた後にボルト孔３０にボルト又は鉄筋を通すことにより、隣り合った基礎構築用プレキャストコンクリートブロック１００を確実に固定することができる。
【００１３】
さらに、請求項６に記載された発明が採った手段は、ガードレール５０の支柱５１を支持する基礎を形成する基礎構築用プレキャストコンクリートブロック１０１において、ブロック本体１０の長手方向の一方の端部１３が円弧状に形成されてなるとともに、該端部の上側又は下側が側方に突出形成された上側突出部１３ａ又は下側突出部１３ｂを備えてなることを特徴とする基礎構築用プレキャストコンクリートブロック１０１、とするものである。このコンクリートブロック１００は連続して構築される複数のガードレール用基礎構造の端に設置するためのブロックである。そのため、コンクリートブロック１０１は長手方向の一方の端部１３にのみ、隣接されるコンクリートブロック１０１と接続するための構造を備えている。すなわち、コンクリートブロック１０１の長手方向の一方端部１３が円弧状に設けられており、さらに、端部１３の上側又は下側のいずれかが側方に突出している突出部１３ａ、１３ｂが設けてある（図６、図７参照）。コンクリートブロック１０１は、隣接するブロックの突出部と上下が逆のもの、すなわち、上方が突出しているコンクリートブロックには下方が突出している端部を、下方が突出している基礎コンクリートブロックには上方が突出している端部を配置することにより、互いに突出部を重ね合わせた状態で連結することができる。この連結構造自体は、請求項１に係るものと同様である。また、端部１３が弧状に設けられているので、ブロック同士を角度をつけて配置できるため、いかなる曲率を有する曲線道路であっても曲線に併せてブロック同士を設置することができる。
【００１４】
さらに、請求項７に記載された発明が採った手段は、下側突出部１３ｂの上面又は上側突出部１３ａの下面に、円形凸状に形成された嵌合凸部２２ａが設けられてなることを特徴とする請求項６に記載の基礎構築用プレキャストコンクリートブロック１００、とするものである。側方への突出部１３ａ、１３ｂのうち、下側が突出しているタイプの場合は上面に円形の突出した嵌合凸部２２ａを設け、上方が側方へ突出しているタイプの場合は下面に円形に突出した嵌合凸部２２ａを設けてある。このプレキャストコンクリートブロック１００は、突出部に凹状の嵌合凹部２１ａを有するプレキャストコンクリートブロック１００を隣接設置することによって、凸状部と凹状部が嵌合して相対位置を固定することができる。
【００１５】
さらに、請求項８に記載された発明が採った手段は、下側突出部１３ｂの上面又は上側突出部１３ａの下面に、円形凹状に形成された嵌合凹部２３ａが設けられてなることを特徴とする請求項６に記載の基礎構築用プレキャストコンクリートブロック１００、とするものである。これは請求項７に記載された嵌合凸部２２ａを嵌合凹部２３ａに変更したものであり、突出部１３ａ、１３ｂに凸状の嵌合凸部２１ａを有するプレキャストコンクリートブロック１００を隣接設置することによって、凸状部と凹状部を嵌合させることができる。
【００１６】
さらに、請求項９に記載された発明が採った手段は、嵌合凸部２２ａ又は嵌合凹部２２ａの中心にボルト又は鉄筋を通すためのボルト孔３０が形成されてなることを特徴とする請求項７又は８に記載の基礎構築用プレキャストコンクリートブロック１００、とするものである。請求項５に係る発明と同様に、ボルト孔３０にボルト又は鉄筋を通し、互いに固定を確実にするためのものである。
【００１７】
さらに、請求項１０に記載された発明が採った手段は、ブロック本体１０の上面には、ガードレール５０の支柱５１を支持するための支柱取付孔５２が設けられてなることを特徴とする請求項１から９のいずれかに記載の基礎構築用プレキャストコンクリートブロック１００、とするものである。これは、あらかじめプレキャストコンクリートブロックに支柱を取り付ける孔を設けて、ガードレールを即座に取り付けられるようにしたものである。
【００１８】
さらに、請求項１１に記載された発明が採った手段は、ブロック本体１０の長手方向側壁の下方には、側方に延設された延設板部４０が設けられてなることを特徴とする請求項１から１０のいずれかに記載のガードレール基礎用プレキャストコンクリート１００、とするものである。ブロック本体に土砂等の載置する領域（延設板部４０）を設けることによって、土砂の重さによってコンクリートブロック１００の安定した基礎を構築することができる。このような延設板部４０を設けたコンクリートブロックによれば、崖縁などのように背面側に道路がない場所であっても延設板部４０に載置された土砂によって十分な安定が得られるため、基礎が崖側に落下するといったことを防止でき、このような崖縁でもガードレール基礎を形成することができる（図１０参照）。
【発明の効果】
【００１９】
本発明に係る基礎構築用プレキャストコンクリートブロックによれば現場打ちコンクリートを必要とせず、道路の曲率に関係なく直線区間、曲線区間などに設置するだけで、ガードレール基礎構造を作製することができる基礎構築用プレキャストコンクリートブロックを提供することができる。
【発明を実施するための最良の形態】
【００２０】
本発明の基礎構築用プレキャストコンクリートブロックのうち、特にガードレールの基礎を構築する場合の実施例を図にしたがって詳細に説明する。
【実施例１】
【００２１】
図１には、実施例１に係る基礎構築用プレキャストコンクリートブロックの斜視図が示されている。このプレキャストコンクリートブロック１００は、複数連結されて基礎を形成するブロックのうち、主として中央部分に用いられるものである。このプレキャストコンクリートブロック１００は、上面の任意の場所にガードレール５０の支柱５１を取り付けるための支柱取付孔５２が設けられている。そして、ブロック本体１０の両端１１、１２は半円形の円弧状に形成されていて、そのうちの一方端部１１は、上側半分が長手方向へ突出して設けられた上側突出部１１ａを備えている。他方端部１２は下側半分が長手方向に突出して設けられた下側突出部１２ａを備えている。これら突出部１１ａ、１２ａは、隣接設置されたプレキャストコンクリートブロック１００同士が重ね合わされる部分である。下側突出部１２ａは、その上面の円弧の中心にボルトを挿入するためのボルト孔３０が設けられている。このボルト孔３０は、図３では、下面まで貫通せずに形成してあるが、下面まで貫通させて設けてもよい。そして、このボルト孔３０を中心として高さが２ｃｍ程度の円形凸状に形成された嵌合凸部２０ａが設けられている。一方、反対側の上側突出部１１ａには、円弧の中心にボルト又は鉄筋を挿入するために、貫通したボルト孔３０が設けられている。そして、上側突出部１１ａの下面には、前記嵌合凸部２０ａと同様の大きさの円形凹状に形成された嵌合凹部２１ａが設けられている。
【００２２】
このように形成されたプレキャストコンクリートブロック１００は、図２に示すように嵌合凸部２０ａと嵌合凹部２１ａを嵌合して互いに重ね合わせるように連結される。このときに、隣接するプレキャストコンクリートブロックは、道路の曲率に応じて角度をつけて設置する。この重ね合わせによる嵌合凸部２０ａと嵌合凹部２１ａの嵌合連結によって、互いに水平方向に離隔することを防止することができる。さらに、ボルト孔にボルトや鉄棒を差し込んで、完全に両ブロックを固定する。この状態であってもブロック同士はボルト孔を中心にして互いに回動することができるので、任意に連結されたブロック同士の角度を変えて設置することで様々な曲率を有する曲線区間であっても現場で対応することができる。そして、図５に示すように、ガードレールが取り付けられ、周囲が舗装されてガードレールの基礎として使用される。
【００２３】
説明の便宜のため、曲線区間を利用して説明したが、勿論直線区間に用いても構わないし、図６のように、境界ブロックの基礎として使用する等、必ずしもガードレールの支柱を支持する基礎として使用しなければならないものではない。
【実施例２】
【００２４】
図７には、実施例１に係る基礎構築用プレキャストコンクリートブロックの斜視図が示されている。このコンクリートブロック１００は、複数連結配置されて基礎を形成するブロックのうち、端部に用いられるタイプのものである。このプレキャストコンクリートブロック１００も、実施例１と同様に全体が長尺に形成されている。略中央には、ガードレール５０の支柱５１を取り付ける支柱取付孔５２が設けられている。そして、一方の長手方向端部１３は、半円型の弧状に形成されていて、この弧状に形成された端部の下半分は、長手方向に突出した突出部１３ｂをなしている。これは上半分が端部側方に突出して形成されているコンクリートブロック１００と結合するときに使用されるものである。下方突出部１３ｂの円弧の中心には、連結された隣接するコンクリートブロックと確実に結合するために、ボルトを通すためのボルト孔３０が設けられている。また、突出部の上面は、ボルト孔を中心とした円形凸状に形成された嵌合凸部２２ａが形成されている。これは上側突出部１１ａが形成されているコンクリートブロック１００の下面に同様の大きさの円形凹状に形成された嵌合凹部２１ａが形成されたものと、嵌合して連結できるようにされたものである。これら嵌合部は、本実施例の突出部の上面に円形凹状の嵌合凹部を形成し、隣接設置される基礎構築用プレキャストコンクリートブロックに嵌合凸部を形成してもよい。なお、下半分が突出形成された側と反対側の端部１４の形状は、図７においては、円弧状に形成されているが、特にその形状を限定するものではない。
【実施例３】
【００２５】
図８は、実施例３に係る基礎構築用プレキャストコンクリートブロック１０１の斜視図が示されている。これは連続して設置されるブロックの端に用いられるコンクリートブロックのうち、実施例２と反対側の端部に用いられるものである。ブロック本体１０の上面にガードレール５０の支柱５１を取り付けるための支柱取付孔５２が形成されている点は実施例１と同様である。このコンクリートブロック１０１は、一方の長手方向端部が、円弧状に形成されているとともに、実施例２と異なり上側半分が突出して形成される上側突出部１３ａを有している。この上側突出部１３ａの中央にはボルトを通すためのボルト孔３０が貫通して形成されている。そして、このボルト孔３０を中心にして円形凹状に嵌合凹部が形成されている。よって、下側半分が突出形成されたプレキャストコンクリートブロックと連結嵌合することになる。
【実施例４】
【００２６】
図９には、実施例４に係る基礎構築用プレキャストコンクリートブロックの斜視図が示されている。これはブロック本体の側壁下方に、側方に延設された延設底板部４０が備えられているものである。それ以外の構成は、実施例１と同様である。また設置する構成も図１０に示したように、実施例１と同様の方法によって基礎を形成することができる。
このように延設板部４０を設けることで、道路内に設置した場合に、この延設底板部４０の上に土砂が載置されることになるため、この土砂の重さによって安定した基礎とすることができる。この実施例４のコンクリートブロックを用いれば、図１１のように、片側が崖のようにブロックの片面を支持することができないような場所であっても、この延設底板部４０に載置された土砂によって基礎が安定するため、安定したガードレールの基礎を敷設することができる。
【図面の簡単な説明】
【００２７】
【図１】実施例１に係る基礎構築用プレキャストコンクリートブロックの斜視図である。
【図２】実施例１に係る基礎構築用プレキャストコンクリートブロックを連結した状態を示す斜視図である。
【図３】実施例１に係る基礎構築用プレキャストコンクリートブロックを連結した状態の断面を示す図である。
【図４】実施例１に係る基礎構築用プレキャストコンクリートブロックの別実施例を示す図である。
【図５】実施例１に係る基礎構築用プレキャストコンクリートブロックを敷設した状態を示す図である。
【図６】実施例１に係る基礎構築用プレキャストコンクリートブロックの別の使用状態を示した斜視図である。
【図７】実施例２に係る基礎構築用プレキャストコンクリートブロックの断面図である。
【図８】実施例３に係る基礎構築用プレキャストコンクリートブロックの斜視図である。
【図９】実施例４に係る基礎構築用プレキャストコンクリートブロックの斜視図である。
【図１０】実施例４に係る基礎構築用プレキャストコンクリートブロックを設置した状態を示す斜視図である。
【図１１】実施例４に係る基礎構築用プレキャストコンクリートブロックを敷設した状態を示す図である。
【符号の説明】
【００２８】
１０              ブロック本体
１１、１２        両端
１１ａ            上側突出部
１２ａ            下側突出部
２０ａ            嵌合凸部
２１ａ            嵌合凹部
１３              端部
１３ａ            上側突出部
１３ｂ            下側突出部
２２ａ            嵌合凸部
２３ａ            嵌合凹部
４０              延設板部
５０              ガードレール
５１              支柱
１００            基礎構築用プレキャストコンクリートブロック
【図１】
2005179949.tif 000003
【図２】
2005179949.tif 000004
【図３】
2005179949.tif 000005
【図４】
2005179949.tif 000006
【図５】
2005179949.tif 000007
【図６】
2005179949.tif 000008
【図７】
2005179949.tif 000009
【図８】
2005179949.tif 000010
【図９】
2005179949.tif 000011
【図１０】
2005179949.tif 000012
【図１１】
2005179949.tif 000013